(57)【要約】【課題】２つのミラーキャリッジを備える画像読取装置において、画像の読取方式によらず共通のスキャナフレームや読取光学系を利用可能とする。【解決手段】デジタル複合機１０は、ガイドレール１５１及び１５３と、受光した光に応じた画像信号を生成するスキャナユニット１３３と、読取対象の原稿からの光を反射してスキャナユニット１３３へ導くとともに、ガイドレール１５１及び１５３の上を走行可能なフルレートキャリッジ１３１及びハーフレートキャリッジ１３２とを備える。フルレートキャリッジ１３１及びハーフレートキャリッジ１３２は、それぞれ、ガイドレール１５１及び１５３上の位置ＰＦ及びＰＨに固定可能である。【選択図】図６
2007212708.tif 000002
【特許請求の範囲】
【請求項１】
ガイドレールと、
受光した光に応じた画像信号を生成するスキャナユニットと、
読取対象の原稿からの光を反射して前記スキャナユニットへ導くとともに、前記ガイドレールの上を走行可能な第１ミラーキャリッジ及び第２ミラーキャリッジと、
を備え、
前記第１ミラーキャリッジ及び前記第２ミラーキャリッジを前記ガイドレールの上の所定位置に固定可能であることを特徴とする画像読取装置。
【請求項２】
前記第１ミラーキャリッジ及び前記第２ミラーキャリッジの前記ガイドレールの上の所定位置への固定は、ネジ止めにより行われることを特徴とする請求項１に記載の画像読取装置。
【請求項３】
前記第１ミラーキャリッジは、読取対象の原稿からの光を反射して前記第２ミラーキャリッジへ導き、前記第２ミラーキャリッジは、前記第１ミラーキャリッジからの光を反射して前記スキャナユニットへ導くことを特徴とする請求項１又は請求項２に記載の画像読取装置。
【発明の詳細な説明】
【技術分野】
【０００１】
本発明は、２つのミラーキャリッジを備える画像読取装置に関する。
【背景技術】
【０００２】
スキャナ、ファクシミリ、コピー機及び複合機等の画像読取装置における画像の読取方式には、プラテンガラスに載置された原稿に描かれた画像を読み取るフラットベッド方式と、自動原稿送り装置によって給送される原稿に描かれた画像を読み取るオートドキュメントフィード方式とがある。そして、従来の画像読取装置では、採用する読取方式によって異なるスキャナフレームや読取光学系が採用され、フラットベッド方式で（又は、フラットベッド方式及びオートドキュメントフィード方式の両方で）画像を読み取る画像読取装置においては、読取光学系を構成するキャリッジがガイドレール上を走行可能となっており、オートドキュメント方式でのみ画像を読み取る画像読取装置においては、読取光学系を構成するスキャナフレームが所定位置に固定可能となっている。
【０００３】
なお、特許文献１では、画像の読取方式によらず共通のスキャナフレームや読取光学系を利用可能とすることにより、画像読取装置の製造原価の低減を実現している。
【０００４】
【特許文献１】特開２００５−２２３７７４号公報
【発明の開示】
【発明が解決しようとする課題】
【０００５】
しかし、特許文献１の技術では、２つのミラーキャリッジを備える画像読取装置については、スキャナフレームや読取光学系の共通化は考慮されておらず、製造原価の低減を実現することができないという問題があった。
【０００６】
本発明は、この問題を解決するためになされたもので、２つのミラーキャリッジを備える画像読取装置において、画像の読取方式によらず共通のスキャナフレームや読取光学系を利用可能とすることを目的とする。
【課題を解決するための手段】
【０００７】
請求項１の発明は、画像読取装置であって、ガイドレールと、受光した光に応じた画像信号を生成するスキャナユニットと、読取対象の原稿からの光を反射して前記スキャナユニットへ導くとともに、前記ガイドレールの上を走行可能な第１ミラーキャリッジ及び第２ミラーキャリッジとを備え、前記第１ミラーキャリッジ及び前記第２ミラーキャリッジを前記ガイドレールの上の所定位置に固定可能である。
【０００８】
請求項２の発明は、請求項１に記載の画像読取装置において、前記第１ミラーキャリッジ及び前記第２ミラーキャリッジの前記ガイドレールの上の所定位置への固定は、ネジ止めにより行われる。
【０００９】
請求項３の発明は、請求項１又は請求項２に記載の画像読取装置において、前記第１ミラーキャリッジは、読取対象の原稿からの光を反射して前記第２ミラーキャリッジへ導き、前記第２ミラーキャリッジは、前記第１ミラーキャリッジからの光を反射して前記スキャナユニットへ導く。
【発明の効果】
【００１０】
請求項１ないし請求項３の発明によれば、画像の読取方式によらず共通のスキャナフレームや読取光学系を利用可能となるので、画像読取装置の製造原価を低減できる。
【発明を実施するための最良の形態】
【００１１】
＜１  第１実施形態＞
以下では、フラットベッド方式及びオートドキュメントフィード方式の両方で原稿に描かれた画像を読み取る画像読取装置として機能するデジタル複合機（ＭＦＰ；Multi Function Peripherals）１の望ましい実施形態について説明する。
【００１２】
＜１．１  デジタル複合機の外観構成＞
図１は、本発明の第１実施形態に係るデジタル複合機１の上部の概略外観構成を示す斜視図である。図１には、便宜上、左右方向をＸ軸方向、前後方向をＹ軸方向、上下方向をＺ軸方向とするＸＹＺ直交座標系が定義されている。この点は、以下で説明する図２〜図６においても同様である。
【００１３】
デジタル複合機１は、スキャナ機能、プリンタ機能、コピー機能及びファックス機能を有し、原稿に描かれた画像を読み取る画像読取装置として機能する。デジタル複合機１の上部には、図１に示す画像読取部１０及び操作パネル２０が設けられており、デジタル複合機１の下部には、不図示の画像形成部が設けられている。
【００１４】
画像読取部１０は、プラテンガラス１２に載置された原稿に描かれた画像を読み取り、当該画像に係る画像データを生成するフラットベッド方式の画像読取部として機能する。加えて、画像読取部１０は、不図示の原稿押さえカバーに組み込まれた自動原稿送り装置によってプラテンガラス１９へ給送された原稿に描かれた画像を読み取り、当該画像に係る画像データを生成するオートドキュメントフィード方式の画像読取部としても機能する。
【００１５】
操作パネル２０は、デジタル複合機１の操作の他、デジタル複合機１の動作状態や設定の確認に用いられる。
【００１６】
画像読取部１０の下方に設けられる不図示の画像形成部は、電子写真方式により、画像データに係る画像を記録紙等の記録媒体の上に形成する。より具体的には、画像形成部は、感光ドラムの表面に形成した静電潜像をトナーで現像し、感光ドラムから記録媒体の上にトナーを転写することにより、画像データに係る画像を記録媒体の上に形成する。
【００１７】
＜１．２  画像読取部の内部構成＞
続いて、図２を参照しつつ、画像読取部１０の概略内部構成について説明する。図２は、プラテンガラス１２及び１９並びにシャーシ１１にネジで固定された樹脂製のトップカバー１４を取り外した状態の画像読取部１０を示す斜視図となっている。
【００１８】
画像読取部１０は、骨格となるシャーシ１１と、シャーシ１１を補強する板金フレーム１５と、プラテンガラス１２に載置された原稿を走査する読取光学系１３とを備えている。
【００１９】
シャーシ１１は、画像読取装置１の外装を兼ねる外装一体型の樹脂シャーシであり、単一の樹脂部材で構成される。
【００２０】
シャーシ１１には、±Ｙ方向に離隔した前隔壁１１１及び後隔壁１１３が、ＸＹ平面と平行な底面１１２に垂直に形成されている。矩形のプラテンガラス１２は、その対向する２辺の縁辺部において、±Ｘ方向に伸びる前隔壁１１１及び後隔壁１１３の上端に支持され、前隔壁１１１及び後隔壁１１３の間に架設されている。
【００２１】
図３の斜視図に示すように、シャーシ１１の底面１１２には、板金フレーム１５の組み入れ先となる組入孔１１２１及び１１２２が形成されるとともに、板金フレーム１５のスキャナユニット取付部１１５１（図４参照）を露出させる露出孔１１２３が形成されている。
【００２２】
読取光学系１３を保持するスキャナフレームとなる板金フレーム１５は、図４の斜視図に示すように、離隔した長尺部材対であるガイドレール１５１及び１５３に架橋部材１５５及び１５６を溶接することにより、梯子形状に骨組みされている。板金フレーム１５は、ガイドレール１５１及び１５３を、それぞれ、シャーシ１１の組入孔１１２１及び１１２２に挿着することにより、シャーシ１１に組み入れられている。
【００２３】
ガイドレール１５１及び１５３の上面（以下、「レール面」）１５１Ｒ及び１５３Ｒには、後述するフルレートキャリッジ１３１をレール面１５１Ｒ及び１５３Ｒの所定位置に固定するためのネジ孔Ｈ１１〜Ｈ１４と、後述するハーフレートキャリッジ１３２をレール面１５１Ｒ及び１５３Ｒの所定位置に固定するためのネジ孔Ｈ２１〜Ｈ２４とが螺成されている。なお、フラットベッド方式及びオートドキュメントフィード方式の両方で画像の読み取りを行う画像読取部１０においては、フルレートキャリッジ１３１及びハーフレートキャリッジ１３２は、プラテンガラス１２に沿って搬送する必要があるため、ネジ孔Ｈ１１〜Ｈ１４及びＨ２１〜Ｈ２４に固定されていない状態となっている。
【００２４】
前隔壁１１１及び後隔壁１１３の間の空間には、プラテンガラス１２に載置された原稿に描かれた画像を読み取る読取光学系１３が組み込まれている。読取光学系１３は、フルレートキャリッジ１３１、ハーフレートキャリッジ１３２及びスキャナユニット１３３を備えている。
【００２５】
±Ｙ方向に伸びる棒状の光源１３１１及びミラー１３１２を一体化したミラーキャリッジであるフルレートキャリッジ１３１は、レール面１５１Ｒ及び１５３Ｒに摺動可能に担持されており、レール面１５１Ｒ及び１５３Ｒの上を±Ｘ方向に走行可能となっている。フルレートキャリッジ１３１は、プラテンガラス１２に載置された原稿に光源１３１１の光を照射するとともに、当該原稿からの光をミラー１３１２で反射してハーフレートキャリッジ１３２へ導く。
【００２６】
±Ｙ方向に伸びる棒状のミラー１３２１及び１３２２を一体化したミラーキャリッジであるハーフレートキャリッジ１３２は、レール面１５１Ｒ及び１５３Ｒに摺動可能に担持されており、レール面１５１Ｒ及び１５３Ｒの上を±Ｘ方向に走行可能となっている。ハーフレートキャリッジ１３２は、フルレートキャリッジ１３１からの光をミラー１３２１及び１３２２で反射してスキャナユニット１３３へ導く。
【００２７】
スキャナユニット１３３は、板金フレーム１５のスキャナユニット取付部１１５１に固設されており、ハーフレートキャリッジ１３２からの光を受光して画像に係る画像信号を生成する。
【００２８】
フルレートキャリッジ１３１は、±Ｙ方向に離隔した両端部で環状ゴム製の搬送用ベルト１６１及び１６３に固定され、搬送用ベルト１６１及び１６３の周動に連動して±Ｘ方向に搬送される。同様に、ハーフレートキャリッジ１３２は、±Ｙ方向に離隔した両端部で環状ゴム製の搬送用ベルト１７１及び１７３に固定され、搬送用ベルト１７１及び１７３の周動に連動して±Ｘ方向に搬送される。読取光学系１３では、フルレートキャリッジ１３１をプラテンガラス１２に沿って所定の速度で搬送しつつ、ハーフレートキャリッジ１３２をプラテンガラス１２に沿ってフルレートキャリッジ１３１の半分の速度でフルレートキャリッジ１３１に同期させて搬送することにより、光路長を一定に維持したまま、プラテンガラス１２に載置された原稿を±Ｘ方向に走査し、当該原稿に描かれた画像を読み取る。
【００２９】
ここで、搬送用ベルト１６１は、±Ｘ方向に離隔して設けられた駆動プーリ１９１１及び従動プーリ１９１２に巻架され、ガイドレール１５１に沿って設けられている。同様に、搬送用ベルト１７１は、±Ｘ方向に離隔して設けられた駆動プーリ１９１３及び従動プーリ１９１４に巻架され、ガイドレール１５１に沿って設けられている。
【００３０】
また、搬送用ベルト１６３は、±Ｘ方向に離隔して設けられた駆動プーリ１９３１及び従動プーリ１９３２に巻架され、ガイドレール１５３に沿って設けられている。同様に、搬送用ベルト１７３は、±Ｘ方向に離隔して設けられた駆動プーリ１９３３及び従動プーリ１９３４に巻架され、ガイドレール１５３に沿って設けられている。
【００３１】
駆動プーリ１９１１，１９１３，１９３１及び１９３３は、±Ｙ方向に伸びるシャフト１７で軸架されており、不図示のモータにより、シャフト１７を中心として同軸回転させられる。シャフト１７は、ガイドレール１５１及び１５３の側面に形成されたシャフト受け孔１５１１及び１５３１に回転可能に保持されている。ここで、ハーフレートキャリッジ１３２を搬送する搬送用ベルト１７１及び１７３が巻架される駆動プーリ１９１３及び１９３３のプーリ径は、フルレートキャリッジ１３１を搬送する搬送用ベルト１６１及び１６３が巻架される駆動プーリ１９１１及び１９３１のプーリ径の半分となっている。これにより、画像読取部１０では、ハーフレートキャリッジ１３２をフルレートキャリッジ１３１の半分の速度で搬送することができるようになっている。
【００３２】
従動プーリ１９１２及び１９１４は、板金フレーム１５に保持された不図示の支持ブラケットに回転自在に軸支されている。同様に、従動プーリ１９３２及び１９３４は、板金フレーム１５に保持された不図示の支持ブラケットに回転自在に軸支されている。
【００３３】
第１実施形態のデジタル複合機１では、第２実施形態の普通紙ファクシミリ５と板金フレーム１５及び読取光学系１３を共通化することにより、製造原価の低減を実現している。
【００３４】
＜２  第２実施形態＞
以下では、オートドキュメントフィード方式でのみ原稿に描かれた画像を読み取る画像読取装置として機能する普通紙ファクシミリ（ＰＰＦ； Plain Paper Facsimile）５の望ましい実施形態について説明する。
【００３５】
＜２．１  普通紙ファクシミリの外観構成＞
図５は、本発明の第２実施形態に係る普通紙ファクシミリ５の上部の概略外観構成を示す斜視図である。
【００３６】
普通紙ファクシミリ５は、ファックス機能を有し、原稿に描かれた画像を読み取る画像読取装置として機能する。普通紙ファクシミリ５の上部には、図１に示す画像読取部５０及び操作パネル６０が設けられており、普通紙ファクシミリ５の下部には、不図示の画像形成部が設けられている。
【００３７】
画像読取部５０は、自動原稿送り装置５１によって原稿読取部ＲＤへ給送された原稿に描かれた画像を読み取り、当該画像に係る画像データを生成するオートドキュメントフィード方式の画像読取部としても機能する。
【００３８】
操作パネル６０は、普通紙ファクシミリ５の操作の他、普通紙ファクシミリ５の動作状態や設定の確認に用いられる。
【００３９】
画像読取部５０の下方に設けられる不図示の画像形成部は、第１実施形態と同様に、電子写真方式により、画像データに係る画像を記録紙等の記録媒体の上に形成する。
【００４０】
＜２．２  画像読取部の内部構成＞
続いて、図６を参照しつつ、画像読取部５０の概略内部構成について説明する。図６は、自動原稿送り装置５１を取り外した状態の画像読取部５０を示す斜視図となっている。
【００４１】
画像読取部５０は、デジタル複合機１の画像読取部１０と共通の、シャーシ１１、板金フレーム１５及び読取光学系１３を備えている。
【００４２】
画像読取部５０においては、フルレートキャリッジ１３１は、原稿読取部ＲＤの下方の位置ＰＦにおいてガイドレール１５１及び１５３に固定されており、ハーフレートキャリッジ１３２は、位置ＰＨにおいてガイドレール１５１及び１５３に固定されている。また、画像読取部５０においては、フルレートキャリッジ１３１及び１３２を搬送する機構、すなわち、デジタル複合機１０の搬送用ベルト１６１，１６３，１７１及び１７３、駆動プーリ１９１１，１９１３，１９３１及び１９３３、従動プーリ１９１２，１９１４，１９３２及び１９３４並びにシャフト１７に相当する構成は設けられていない。
【００４３】
フルレートキャリッジ１３１のガイドレール１５１及び１５３への固定は、レール面１５１Ｒ及び１５３Ｒに載置されたスペーサＳＰ１１及びＳＰ３１の上にフルレートキャリッジ１３１を載置し、スペーサＳＰ１１及びＳＰ３１を挟んでフルレートキャリッジ１３１をネジＳＣ１１〜ＳＣ１４でネジ孔Ｈ１１〜Ｈ１４に固定することにより実現される。
【００４４】
同様に、ハーフキャリッジ１３２のガイドレール１５１及び１５３への固定は、レール面１５１Ｒ及び１５３Ｒに載置されたスペーサＳＰ１２及びＳＰ３２の上にハーフレートキャリッジ１３２を載置し、スペーサＳＰ１２及びＳＰ３２を挟んでハーフレートキャリッジ１３２をネジＳＣ２１〜ＳＣ２４でネジ孔Ｈ２１〜Ｈ２４に固定することにより実現される。
【００４５】
このような構成により、画像読取部５０は、フルレートキャリッジ１３１の上方の原稿読取部ＲＤに給送されてきた原稿に描かれた画像を読み取ることができる。
【００４６】
第２実施形態の普通紙ファクシミリ５では、第１実施形態のデジタル複合機１と板金フレーム１５及び読取光学系１３を共通化することにより、製造原価の低減を実現している。
【図面の簡単な説明】
【００４７】
【図１】本発明の第１実施形態に係るデジタル複合機１の上部の外観構成を示す模式図である。
【図２】画像読取部１０の内部構成を示す斜視図である。
【図３】シャーシ１１を示す斜視図である。
【図４】板金フレーム１５を示す斜視図である。
【図５】本発明の第２実施形態に係る普通紙ファクシミリ５の上部の外観構成を示す斜視図である。
【図６】画像読取部５０の内部構成を示す斜視図である。
【符号の説明】
【００４８】
１  デジタル複合機
５  普通紙ファクシミリ
１０，５０  画像読取部
１１  シャーシ
１２，１９  プラテンガラス
１３  読取光学系
１５  板金フレーム
１３１  フルレートキャリッジ
１３２  ハーフレートキャリッジ
１３３  スキャナユニット
１５１，１５３  ガイドレール
１５１Ｒ，１５３Ｒ  レール面
Ｈ１１〜Ｈ１４，Ｈ２１〜Ｈ２４  ネジ孔
ＳＣ１１〜ＳＣ１４，ＳＣ２１〜ＳＣ２４  ネジ
【図１】
2007212708.tif 000003
【図２】
2007212708.tif 000004
【図３】
2007212708.tif 000005
【図４】
2007212708.tif 000006
【図５】
2007212708.tif 000007
【図６】
2007212708.tif 000008